(57)【要約】  【課題】広画角化と大口径化の両立に有利なズームレンズ、より具体的には、半画角が４５°以上の広画角化と、Ｆ２．８程度の明るいFナンバーとを同時に実現できる高性能なズームレンズを提供する。  【解決手段】物体側より順に、負の屈折力をもつ第１レンズ群Ｇ１と、正の屈折力をもつ第２レンズ群Ｇ２を有し、少なくとも両群の間隔を変化させることでズーミングを行なうズームレンズである。第１レンズ群Ｇ１が、物体側より順に、負の屈折力をもち像側に凹面を有するメニスカス形状の第１レンズＬ１１と、負の屈折力をもち像側に凹面を有するメニスカス形状の第２レンズＬ１２と、負の屈折力をもち像側に凹面を有する第３レンズＬ１３と、正の屈折力をもち両凸形状の第４レンズＬ１４と、負の屈折力をもつ第５レンズＬ１５と、正の屈折力をもつ第６レンズＬ１６の６枚のレンズから構成されている。【選択図】  図１
2005062770.tif 000002
【特許請求の範囲】
【請求項１】
物体側より順に、負の屈折力をもつ第１レンズ群と、正の屈折力をもつ第２レンズ群を有し、少なくとも両群の間隔を変化させることでズーミングを行なうズームレンズであって、
前記第１レンズ群が、物体側より順に、負の屈折力をもち像側に凹面を有するメニスカス形状の第１レンズと、負の屈折力をもち像側に凹面を有するメニスカス形状の第２レンズと、負の屈折力をもち像側に凹面を有する第３レンズと、正の屈折力をもち両凸形状の第４レンズと、負の屈折力をもつ第５レンズと、正の屈折力をもつ第６レンズの６枚のレンズから構成されることを特徴とするズームレンズ。
【請求項２】
物体側より順に、負の屈折力をもつ第１レンズ群と、正の屈折力をもつ第２レンズ群を有し、少なくとも両群の間隔を変化させることでズーミングを行なうズームレンズであって、
前記第１レンズ群が、物体側より順に、負の屈折力をもつ第１レンズと、負の屈折力をもつ第２レンズと、負の屈折力をもつ第３レンズと、正の屈折力をもつ第４レンズと、負の屈折力をもつ第５レンズと、正の屈折力をもつ第６レンズとの６枚のレンズから構成され、
次の条件式を満足することを特徴とするズームレンズ。
０．２  ＜  ｄ６／|ｆ１|  ＜  ０．５
但し、ｄ６は前記第３レンズと前記第４レンズとの間の空気間隔、ｆ１は前記第１レンズ群の焦点距離である。
【請求項３】
物体側より順に、負の屈折力をもつ第１レンズ群と、正の屈折力をもつ第２レンズ群を有し、少なくとも両群の間隔を変化させることでズーミングを行なうズームレンズであって、
前記第１レンズ群が、物体側より順に、負の屈折力をもち像側に凹面を有するメニスカス形状の第１レンズと、負の屈折力をもち像側に凹面を有するメニスカス形状の第２レンズと、負の屈折力をもち像側に凹面を有する第３レンズと、正の屈折力をもつ第４レンズと、負の屈折力をもつ第５レンズと、正の屈折力をもつ第６レンズを有し、
次の条件式を満足することを特徴とするズームレンズ。
０．２  ＜  ｄ６／|ｆ１|  ＜  ０．５
但し、ｄ６は前記第３レンズと前記第４レンズとの間の空気間隔、ｆ１は前記第１レンズ群の焦点距離である。
【請求項４】
前記第２レンズ群が、正レンズと負レンズを含んでなる接合レンズを少なくとも２組有することを特徴とする請求項１〜３の何れかに記載のズームレンズ。
【請求項５】
前記第２レンズ群が、両面非球面の正の屈折力をもつ単レンズを少なくとも１枚有することを特徴とする請求項１〜請求項４の何れかに記載のズームレンズ。
【請求項６】
次の条件式を満足することを特徴とする請求項１〜５の何れかに記載のズームレンズ。
０．３  ＜  |ｆ１|／ＧＤ１  ＜  ０．７
但し、ＧＤ１は前記第１レンズ群の全長、ｆ１は前記第１レンズ群の焦点距離である。
【請求項７】
次の条件式を満足することを特徴とする請求項１〜６の何れかに記載のズームレンズ。
０．３  ＜  ＤＳ／|ｆ１|  ＜  ０．９
但し、ＤＳは全系の焦点距離が前記第１レンズ群の焦点距離の−０．８倍の時の該第１レンズ群と前記第２レンズ群との間の間隔、ｆ１は前記第１レンズ群の焦点距離である。
【請求項８】
次の条件式を満足することを特徴とする請求項７に記載のズームレンズ。
０．５  ＜  ＤＳ／｜ｆ１｜  ＜  ０．８
但し、ＤＳは全系の焦点距離が前記第１レンズ群の焦点距離の−０．８倍の時の該第１レンズ群と前記第２レンズ群との間の間隔、ｆ１は前記第１レンズ群の焦点距離である。
【請求項９】
次の条件式を満足することを特徴とする請求項７又は８に記載のズームレンズ。
０．９  ＜  ｆｔ／｜ｆ１｜  ＜  １．３
但し、ｆｔは望遠端におけるズームレンズ全系の焦点距離、ｆ１は前記第１レンズ群の焦点距離である。
【請求項１０】
広角端における全画角が、９０°以上となる領域において最軸外主光線が通過することを特徴とする請求項１〜９の何れかに記載のズームレンズ。
【請求項１１】
請求項１〜１０のいずれかに記載のズームレンズを用いたカメラ。
【発明の詳細な説明】
【技術分野】
【０００１】
本発明はズームレンズ及びそれを用いたカメラに関し、特に、一眼レフカメラ等に用いられる高性能で広画角なズームレンズ及びそれを用いたカメラに関するものである。
【背景技術】
【０００２】
従来、種々のズームレンズが知られているが、一般に広画角化や、大口径化を目的とした場合や、さらなる高性能化を追求する場合は、特に第１レンズ群の構成を適正に配置することが求められる。
例えば、従来、負レンズ群が先行するタイプのズームレンズとして、次の特許文献１〜３に記載のズームレンズが提案されている。
【特許文献１】特開昭６０−１３０７１２号公報
【特許文献２】特開昭６２−２００３１６号公報
【特許文献３】特開Ｈ１０−８２９５４号公報
【０００３】
特許文献１には、第１レンズ群が負負正負正の５枚のレンズで構成されたズームレンズが提案されている。このズームレンズでは、Ｆナンバーが３．６程度となっている。
また、特許文献２には、第１レンズ群が負負正負正負の６枚のレンズで構成されたズームレンズが提案されている。このズームレンズでは、広角端での半画角が３７°程度となっている。
また、特許文献３には、第１レンズ群が負負負正負正の６枚のレンズで構成され、Ｆナンバーが３．６程度となっている４群ズームレンズが提案されている。このズームレンズでは、全体のレンズ枚数が多くなっている。
【発明の開示】
【発明が解決しようとする課題】
【０００４】
しかしながら、これらのズームレンズのように、広角端での半画角が３７°程度や、Ｆナンバーが３．６程度では、広画角化と大口径化とを両立させるには不利な構成である。
【０００５】
本発明は、上記従来の課題に鑑みてなされたものであり、広画角化と大口径化の両立に有利なズームレンズ及びそれを用いたカメラ、より具体的には、半画角が４５°以上の広画角化と、Ｆ２．８程度の明るいFナンバーとを同時に実現できる高性能なズームレンズ及びそれを用いたカメラを提供することを目的とする。
【課題を解決するための手段】
【０００６】
上記目的を達成するため、本第１の発明によるズームレンズは、物体側より順に、負の屈折力をもつ第１レンズ群と、正の屈折力をもつ第２レンズ群を有し、少なくとも両群の間隔を変化させることでズーミングを行なうズームレンズであって、前記第１レンズ群が、物体側より順に、負の屈折力をもち像側に凹面を有するメニスカス形状の第１レンズと、負の屈折力をもち像側に凹面を有するメニスカス形状の第２レンズと、負の屈折力をもち像側に凹面を有する第３レンズと、正の屈折力をもち両凸形状の第４レンズと、負の屈折力をもつ第５レンズと、正の屈折力をもつ第６レンズの６枚のレンズから構成されることを特徴としている。
【０００７】
また、本発明のズームレンズにおいては、物体側より順に、負の屈折力をもつ第１レンズ群と、正の屈折力をもつ第２レンズ群を有し、少なくとも両群の間隔を変化させることでズーミングを行なうズームレンズであって、前記第１レンズ群が、物体側より順に、負の屈折力をもつ第１レンズと、負の屈折力をもつ第２レンズと、負の屈折力をもつ第３レンズと、正の屈折力をもつ第４レンズと、負の屈折力をもつ第５レンズと、正の屈折力をもつ第６レンズとの６枚のレンズから構成され、次の条件式(1)を満足するのが好ましい。
０．２  ＜  ｄ６／|ｆ１|  ＜  ０．５                  …(1)
但し、ｄ６は前記第３レンズと前記第４レンズとの間の空気間隔、ｆ１は前記第１レンズ群の焦点距離である。
【０００８】
また、本第２の発明によるズームレンズは、物体側より順に、負の屈折力をもつ第１レンズ群と、正の屈折力をもつ第２レンズ群を有し、少なくとも両群の間隔を変化させることでズーミングを行なうズームレンズであって、前記第１レンズ群が、物体側より順に、負の屈折力をもち像側に凹面を有するメニスカス形状の第１レンズと、負の屈折力をもち像側に凹面を有するメニスカス形状の第２レンズと、負の屈折力をもち像側に凹面を有する第３レンズと、正の屈折力をもつ第４レンズと、負の屈折力をもつ第５レンズと、正の屈折力をもつ第６レンズを有し、次の条件式(1)を満足することを特徴としている。
０．２  ＜  ｄ６／|ｆ１|  ＜  ０．５                  …(1)
但し、ｄ６は前記第３レンズと前記第４レンズとの間の空気間隔、ｆ１は前記第１レンズ群の焦点距離である。
【０００９】
また、本発明のズームレンズにおいては、前記第２レンズ群が、正レンズと負レンズを含んでなる接合レンズを少なくとも２組有するのが好ましい。
【００１０】
また、本発明のズームレンズにおいては、前記第２レンズ群が、両面非球面の正の屈折力をもつ単レンズを少なくとも１枚有するのが好ましい。
【００１１】
また、本発明のズームレンズにおいては、次の条件式(2)を満足するのが好ましい。
０．３  ＜  |ｆ１|／ＧＤ１  ＜  ０．７                  …(2)
但し、ＧＤ１は前記第１レンズ群の全長、ｆ１は前記第１レンズ群の焦点距離である。
【００１２】
また、本発明のズームレンズにおいては、次の条件式(3)を満足するのが好ましい。
０．３  ＜  ＤＳ／｜ｆ１｜  ＜  ０．９                  …(3)
但し、ＤＳは全系の焦点距離が前記第１レンズ群の焦点距離の−０．８倍の時の該第１レンズ群と前記第２レンズ群との間の間隔、ｆ１は前記第１レンズ群の焦点距離である。
【００１３】
また、本発明のズームレンズにおいては、次の条件式(3')を満足するのが好ましい。
０．５  ＜  ＤＳ／｜ｆ１｜  ＜  ０．８                  …(3')
但し、ＤＳは全系の焦点距離が前記第１レンズ群の焦点距離の−０．８倍の時の該第１レンズ群と前記第２レンズ群との間の間隔、ｆ１は前記第１レンズ群の焦点距離である。
【００１４】
また、本発明のズームレンズにおいては、次の条件式(4)を満足するのが好ましい。
０．９  ＜  ｆｔ／｜ｆ１｜  ＜  １．３                  …(4)
但し、ｆｔは望遠端におけるズームレンズ全系の焦点距離、ｆ１は前記第１レンズ群の焦点距離である。
【００１５】
また、本発明のズームレンズにおいては、広角端における全画角が、９０°以上となる領域において最軸外主光線が通過するのが好ましい。
また、本発明によるカメラは、上記本発明によるズームレンズを用いることを特徴としている。
【発明の効果】
【００１６】
本発明によれば、負の屈折力のレンズ群が先行するズームレンズで発生しがちな、フォーカシングに伴う像面湾曲の変化を抑えやすく、周辺光量の低下も抑えやすいズームレンズが得られる。
【発明を実施するための最良の形態】
【００１７】
実施例の説明に先立ち、本発明の作用効果について説明する。
本発明のズームレンズは、いずれも、物体側より順に、負の屈折力をもつ第１レンズ群と、正の屈折力をもつ第２レンズ群を有し、少なくとも両群の間隔を変化させることでズーミングを行なうズームレンズであって、第１レンズ群が物体側より順に、負負負正負正の６枚のレンズを有して構成されている。
このように構成すれば、物体側から順に、像側に凹面を有する負レンズを３枚配置することにより、広角端で急激に増加する歪曲収差を補正することができ広画角化に有利になる。
そして、これら３枚の負レンズに続いて、正レンズと、負レンズと、正レンズとを組み合わせることにより、軸上収差と軸外収差のバランスのとれた補正が行ない易いズームレンズが得られる。
【００１８】
本第１の発明のように構成すれば、物体側から順に、像側に凹面を有する負レンズを３枚配置することにより、広角端で急激に増加する歪曲収差を補正することができ広画角化に有利となる。特に、物体側の２枚のレンズを負メニスカスレンズを用いて構成すれば、コマ収差等の軸外の高次収差の発生を抑えやすくなる。そして、それらの負メニスカスレンズに続く３枚目の負レンズを介して１枚目の負レンズと２枚目の負レンズで発生したコマ収差等の軸外の高次収差の補正をしやすくなる。さらに、第４レンズを両凸形状に形成すれば、物体側の３枚の負レンズで発生する軸上収差の補正がしやすくなり、第１レンズ群をレンズ６枚で高性能化できる。
【００１９】
さらに望ましくは、５枚目の負レンズを像側に凸面を有して構成すれば、高次収差の補正レベルを上げることができ、Ｆナンバーが明るく、更に良好な結像性能が得やすくなる。
なお、明るさ絞りは、第１レンズ群よりも像側にあるのが望ましく、更には、第２レンズ群の物体側に配置されるのが望ましい。
【００２０】
また、本第１の発明のズームレンズにおいては、次の条件式(1)を満足することが好ましい。
０．２  ＜  ｄ６／|ｆ１|  ＜  ０．５                  …(1)
条件式(1)の下限値を下回ると、第３レンズ及び第４レンズの各面での光束の大きさの変化が少なくなり、軸上から軸外までの良好な収差補正が難しくなる。
一方、条件式(1)の上限値を上回ると、第１レンズ群の全長が長くなり、第１レンズの外径が大きくなり易くなり、大口径化を達成するために、レンズが大型化してしまう。
【００２１】
また、本第２の発明のズームレンズのように、本第１の発明と同様に、第１レンズを像側に凹面を有するメニスカス形状に形成し、第２レンズを像側に凹面を有するメニスカス形状に形成し、第３レンズを像側に凹面を有する形状に形成して、広画角化しやすい構成にし、かつ、上記条件式(1)を満足する構成としてもよい。
【００２２】
なお、本発明においては、上記条件式(1)の下限値を０．２３とすると良く、更には、０．２６とするとより一層好ましい。
また、上記条件式(1)の上限値を０．４とすると良く、更には、０．３５とするとより一層好ましい。
このようにすれば、収差補正と第１レンズ群の全長の短縮化との両立により一層有利となる。
【００２３】
また、本発明のズームレンズにおいては、第２レンズ群が、正レンズと負レンズとを含んでなる接合レンズを少なくとも２組有する構成、又は両面非球面の正の単レンズを少なくとも１枚有する構成としている。このように構成すれば、第２レンズ群についてのより好ましい構成となる。
第２レンズ群は、負の屈折力をもつ第１レンズ群で発散した光線を正の屈折力で収束させる作用を持っている。そのため、第２レンズ群内の各レンズ要素に偏心が存在していると、非対称なコマ収差や非点収差が発生して結像性能が悪化しやすくなる。
そこで、正レンズと負レンズを含んでなる接合レンズを複数備えて構成すれば、各レンズの組み込み誤差を原因とする偏心による像の悪化を低減させることが可能となる。
【００２４】
なお、第２レンズ群における接合レンズ内のレンズの屈折力配分の順序は、物体側から正負の順の接合ダブレット、負正の順の接合ダブレット、正負正や負正負の接合トリプレットのいずれでもよい。
また、正の単レンズを非球面化して構成してもよい。このようにすれば、偏心による像の悪化を低減しやすくできる。特に、正の単レンズを両側非球面にすれば、さらに偏心補正による影響を低減しやすくすることができる。
また、第２レンズを、上述の接合レンズを複数含める構成と、両面非球面の正レンズとを同時に備えて構成すると、偏心の影響を抑えやすくなり、より好ましい。
【００２５】
本発明のズームレンズにおいては、次の条件式(2)を満足するのが好ましい。
０．３  ＜  |ｆ１|／ＧＤ１  ＜  ０．７                …(2)
但し、ＧＤ１は前記第１レンズ群の全長、ｆ１は前記第１レンズ群の焦点距離である。
条件式(2)を満足すれば、広角端から望遠端までの光束径の変化が適正になり、全域で良い性能が得られやすくなる。
条件式(2)の下限値を下回ると、第１レンズ群の全長が長くなり、大口径化を達成するために、第１レンズの外径が大きくなり易くなってしまう。
一方、条件式(2)の上限値を上回ると、第１レンズ群の肉厚や縁厚、レンズ同士の軸上・軸外の間隔を確保するのが難しくなる。
【００２６】
また、本発明のズームレンズにおいては、条件式(2)の下限値を０．４とすると良く、更には、０．４５とするとより一層好ましい。
また、本発明のズームレンズにおいては、条件式(2)の上限値を０．６とすると良く、更には、０．５５とするとより一層好ましい。
このようにすれば、広角端から望遠端までの全域でより良い性能が得られやすくなる。
【００２７】
また、本発明のズームレンズにおいては、次の条件式(3)を満足するのが好ましい。
０．３  ＜  ＤＳ／｜ｆ１｜  ＜  ０．９                  …(3)
但し、ＤＳは全系の焦点距離が前記第１レンズ群の焦点距離の−０．８倍の時の該第１レンズ群と前記第２レンズ群との間の間隔、ｆ１は前記第１レンズ群の焦点距離である。
条件式(3)の上限値を上回ると、全系が長くなり、特に、第１レンズの外径が大きくなりすぎる等好ましくない。
条件式(3)の下限値を下回ると、望遠端での第１レンズ群に対する第２レンズ群以降の倍率が大きくなり過ぎ、第１レンズ群での収差補正の負担が多くなり、望ましくない。
【００２８】
また、本発明のズームレンズにおいては、条件式(3)の下限値を０．４とすると良く、更には、０．５とするとより一層好ましい。
また、本発明のズームレンズにおいては、条件式(3)の上限値を０．８とすると良く、更には０．７５とするとより一層好ましい。
例えば、次の条件式(3')を満足すると好ましい。
０．５  ＜ＤＳ／｜ｆ１｜  ＜  ０．８                    …(3')
また、本発明のズームレンズにおいては、より好ましくは、次の条件式(4)を満足するとよい。
０．９  ＜  ｆｔ／｜ｆ１｜  ＜  １．３                  …(4)
但し、ｆｔは望遠端におけるズームレンズ全系の焦点距離、ｆ１は前記第１レンズ群の焦点距離である。
条件式(4)を満足すれば、望遠端での第１レンズ群に対する第２レンズ群以降の倍率が−１倍付近、より具体的には−０．９倍から−１．２倍の範囲内となり、条件式(3)を満足することにより、収差補正に必要な構成を確保しながら、適正な第１レンズ群の焦点距離を確保することができる。
そのため、広角端での第１レンズの径の小型化と適度な変倍比の確保に有利になる。
【００２９】
また、本発明のズームレンズにおいては、条件式(4)の下限値を０．９５とすると良く、更には、１．０１とするとより一層好ましい。
また、本発明のズームレンズにおいては、条件式(4)の上限値を１．２とすると良く、更には、１．１５とするとより一層好ましい。
【００３０】
また、本発明のズームレンズにおいては、広角端における全画角（２ω）が、９０°以上の領域において結像するように構成するのが好ましい。
本発明のズームレンズは、広画角化が行ないやすい群構成としたものである。このため、広角端画角が９０°以上の広画角なズームレンズとすることが好ましい。
また、本発明のズームレンズにおいては、全画角が９３°以上の領域において結像可能としてもよい。
【００３１】
その他、本発明のズームレンズにおいては、上述の各構成を各々複数組み合わせて構成してもよい。また、上記複数の条件式を任意に組み合わせて満足するようにしてもよい。
【００３２】
以下、本発明の実施例について図面を用いて説明する。
【実施例１】
【００３３】
図１は本発明の第１実施例にかかるズームレンズの光学構成を示す光軸に沿う断面図で、(a)は広角端、(b)は中間、(c)は望遠端での状態を示している。図２は第１実施例にかかるズームレンズの無限遠合焦点時での球面収差、非点収差、歪曲収差を示す図で、(a)は広角端、(b)は中間、(c)は望遠端での状態を示している。図３は第１実施例にかかるズームレンズの撮影距離０．４ｍ合焦点時での球面収差、非点収差、歪曲収差を示す図で、(a)は広角端、(b)は中間、(c)は望遠端での状態を示している。
【００３４】
第１実施例のズームレンズは、物体側より順に、第１レンズ群Ｇ１と、開口絞りＳと、第２レンズ群Ｇ２を有して構成されている。図中、ＣＧはローパスフィルタ、近赤外光線カットフィルタ、ＣＣＤカバーガラスを等価な平行平板状の光学素子に置き換えて表したものである。また、Ｉは結像面を示している。
【００３５】
第１レンズ群Ｇ１は、物体側より順に、像側に凹面を向けた負メニスカスレンズＬ１１と、像側に凹面を向けた負メニスカスレンズＬ１２と、両凹レンズＬ１３と、両凸レンズＬ１４と、物体側に凹面を向けた負メニスカスレンズＬ１５と、物体側に凸面を向けた正メニスカスレンズＬ１６とで構成され、全体で負の屈折力を有している。
【００３６】
第２レンズ群Ｇ２は、物体側より順に、両凸レンズＬ２１と、物体側に凹面を向けた正メニスカスレンズＬ２２と両凹レンズＬ２３との接合レンズと、両凸レンズＬ２４と、両凹レンズＬ２５と両凸レンズＬ２６との接合レンズとで構成され、全体で正の屈折力を有している。
【００３７】
広角端から望遠端へのズームミング時には、第１レンズ群Ｇ１が望遠端近傍で像側に凸の軌跡となるように像側へ移動し、第２レンズ群Ｇ２が開口絞りＳとともに物体側へ移動する。
また、広角端から望遠端までのいずれかのズーム状態における無限遠から至近距離へのフォーカシングは、第１レンズ群Ｇ１の前群Ｇ１ａを像側へ移動させると共に、後群Ｇ１ｂを物体側に移動させて行なうようになっている。
なお、フォーカシングに関しては、第１レンズ群Ｇ１全体を一体的に移動させたり、後群Ｇ１ｂのみを移動させるなど、他の移動方法を用いても良い。
【００３８】
また、非球面は、像側に凹面を向けた負メニスカスレンズＬ１２の像側面と、両凸レンズＬ２４の両面に設けられている。
次に、第１実施例のズームレンズを構成する光学部材の数値データを示す。
なお、第１実施例の数値データにおいて、ｒ1、ｒ2、…は各レンズ面の曲率半径、ｄ1、ｄ2、…は各レンズの肉厚または空気間隔、ｎd1、ｎd2、…は各レンズのｄ線での屈折率、νd1、νd2、…は各レンズのアッべ数、Ｆｎｏ．はＦナンバー、ｆは全系焦点距離、２ωは全画角を表している。
また、非球面形状は、光軸方向をｚ、光軸に直交する方向をｙにとり、円錐係数をＫ、非球面係数をＡ4、Ａ6、Ａ8、Ａ10としたとき、次の式で表される。
ｚ＝（ｙ2／ｒ）／［１＋｛１−（１＋Ｋ）（ｙ／ｒ）2｝1/2］
＋Ａ4ｙ4＋Ａ6ｙ6＋Ａ8ｙ8＋Ａ10ｙ10
これらの記号は、以下の各実施例においても共通である。
【００３９】
数値データ１
広角端      中間      望遠端
ｆ          11.21      16.10      21.57
Ｆｎｏ．     2.85       3.16       3.53
２ω        93.8°     72.2°     56.9°
ｒ1＝39.5894              ｄ1＝2.7500    ｎd1＝1.77250     νd1＝49.60
ｒ2＝19.2336              ｄ2＝4.1319
ｒ3＝23.4925              ｄ3＝2.900     ｎd3＝1.80610     νd3＝40.92
ｒ4＝12.5636（非球面）    ｄ4＝9.3097
ｒ5＝-298.3827            ｄ5＝1.8000    ｎd5＝1.80440     νd5＝39.59
ｒ6＝43.4758              ｄ6＝5.3592
ｒ7＝57.7472              ｄ7＝4.3200    ｎd7＝1.75520     νd7＝27.51
ｒ8＝-57.7472             ｄ8＝Ｄ８
ｒ9＝-43.5463             ｄ9＝1.7000    ｎd9＝1.88300     νd9＝40.76
ｒ10＝-625.1817           ｄ10＝0.1000
ｒ11＝70.6025             ｄ11＝2.8000    ｎd11＝1.78472    νd11＝25.68
ｒ12＝250.1754            ｄ12＝Ｄ１２
ｒ13＝（絞り）            ｄ13＝1.0000
ｒ14＝28.5691             ｄ14＝3.4441    ｎd14＝1.57099    νd14＝50.80
ｒ15＝-62.3093            ｄ15＝6.7403
ｒ16＝-108.7751           ｄ16＝3.1918    ｎd16＝1.48749    νd16＝70.23
ｒ17＝-16.8629            ｄ17＝1.6600    ｎd17＝1.83481    νd17＝42.72
ｒ18＝419.5895            ｄ18＝0.4519
ｒ19＝31.3057（非球面）   ｄ19＝9.2900    ｎd19＝1.58313    νd19＝59.38
ｒ20＝-25.4261（非球面）  ｄ20＝0.2606
ｒ21＝43.7765             ｄ21＝1.3700    ｎd21＝1.80440    νd21＝39.59
ｒ22＝24.0803             ｄ22＝7.2430    ｎd22＝1.48749    νd22＝70.23
ｒ23＝-18.7623            ｄ23＝Ｄ２３
ｒ24＝∞                  ｄ24＝4.6500    ｎd24＝1.51633    νd24＝64.14
ｒ25＝∞                  ｄ25＝1.0000
ｒ26＝∞（像面）          ｄ26＝0
【００４０】
非球面データ
第４面
Ｋ＝-1.1929
Ａ4＝3.5604×10-5      Ａ6＝-8.7009×10-10    Ａ8＝2.2597×10-10
Ａ10＝-8.9735×10-13
第１９面
Ｋ＝-2.5703
Ａ4＝-1.6964×10-7     Ａ6＝2.9944×10-8      Ａ8＝3.6253×10-10
Ａ10＝-3.2098×10-12
第２０面
Ｋ＝-1.1772
Ａ4＝2.7778×10-5      Ａ6＝1.6530×10-8      Ａ8＝-1.3383×10-10
Ａ10＝0.0000×100
【００４１】
ズームデータ
（無限遠物点合焦時）
面間隔        広角端          中間          望遠端
Ｄ８           4.80120       4.80120        4.80120
Ｄ１２        29.52601      11.92308        1.70262
Ｄ２３        30.74933      39.35719       48.97985
（物点距離０．４ｍ合焦時）
面間隔        広角端          中間          望遠端
Ｄ８           2.63974       2.70750        2.71188
Ｄ１２        31.49134      13.82644        3.60201
【実施例２】
【００４２】
図４は本発明の第２実施例にかかるズームレンズの光学構成を示す光軸に沿う断面図で、(a)は広角端、(b)は中間、(c)は望遠端での状態を示している。図５は第２実施例にかかるズームレンズの無限遠合焦点時での球面収差、非点収差、歪曲収差を示す図で、(a)は広角端、(b)は中間、(c)は望遠端での状態を示している。図６は第２実施例にかかるズームレンズの撮影距離０．４ｍ合焦点時での球面収差、非点収差、歪曲収差を示す図で、(a)は広角端、(b)は中間、(c)は望遠端での状態を示している。
【００４３】
第２実施例のズームレンズは、物体側より順に、第１レンズ群Ｇ１と、開口絞りＳと、第２レンズ群Ｇ２を有して構成されている。図中、ＣＧはローパスフィルタ、近赤外光線カットフィルタ、ＣＣＤカバーガラスを等価な平行平板状の光学素子に置き換えて表したものである。また、Ｉは結像面を示している。
【００４４】
第１レンズ群Ｇ１は、物体側より順に、像側に凹面を向けた負メニスカスレンズＬ１１と、像側に凹面を向けた負メニスカスレンズＬ１２と、両凹レンズＬ１３と、両凸レンズＬ１４と、物体側に凹面を向けた負メニスカスレンズＬ１５と、物体側に凸面を向けた正メニスカスレンズＬ１６とで構成され、全体で負の屈折力を有している。
【００４５】
第２レンズ群Ｇ２は、物体側より順に、両凸レンズＬ２１と、物体側に凹面を向けた正メニスカスレンズＬ２２と両凹レンズＬ２３との接合レンズと、両凸レンズＬ２４と、両凹レンズＬ２５と両凸レンズＬ２６との接合レンズとで構成され、全体で正の屈折力を有している。
【００４６】
広角端から望遠端へのズームミング時には、第１レンズ群Ｇ１が望遠端近傍で像側に凸の軌跡となるように像側へ移動し、第２レンズ群Ｇ２が開口絞りＳとともに物体側へ移動する。
また、広角端から望遠端までのいずれかの状態における無限遠から至近距離へのフォーカシングは、第１レンズ群Ｇ１の前群Ｇ１ａを像側へ移動させると共に、後群Ｇ１ｂを物体側に移動させて行なうようになっている。
なお、フォーカシングに関しては、第１レンズ群Ｇ１全体を一体的に移動させたり、後群Ｇ１ｂのみを移動させるなど、他の移動方法を用いても良い。
【００４７】
また、非球面は、像側に凹面を向けた負メニスカスレンズＬ１２の像側面と、両凸レンズＬ２４の両面に設けられている。
次に、第２実施例のズームレンズを構成する光学部材の数値データを示す。
【００４８】
数値データ２
広角端      中間      望遠端
ｆ          11.28      16.10      21.58
Ｆｎｏ．     2.85       3.14       3.48
２ω        93.8°     72.2°     56.8°
ｒ1＝37.9971               ｄ1＝2.7000    ｎd1＝1.77250     νd1＝49.60
ｒ2＝19.8432               ｄ2＝3.9342
ｒ3＝23.5755               ｄ3＝2.9000    ｎd3＝1.80610     νd3＝40.92
ｒ4＝12.7136（非球面）     ｄ4＝9.2523
ｒ5＝-187.9502             ｄ5＝1.6500    ｎd5＝1.80440     νd5＝39.59
ｒ6＝35.7083               ｄ6＝5.8602
ｒ7＝49.4731               ｄ7＝4.1297    ｎd7＝1.74077     νd7＝27.79
ｒ8＝-70.4280              ｄ8＝Ｄ８
ｒ9＝-54.6099              ｄ9＝1.6000    ｎd9＝1.88300     νd9＝40.76
ｒ10＝-278.9770            ｄ10＝0.0838
ｒ11＝95.8088              ｄ11＝2.9377    ｎd11＝1.78472    νd11＝25.68
ｒ12＝346.5293             ｄ12＝Ｄ１２
ｒ13＝（絞り）             ｄ13＝1.0000
ｒ14＝25.3573              ｄ14＝3.6315    ｎd14＝1.53172    νd14＝48.84
ｒ15＝-52.9963             ｄ15＝6.4475
ｒ16＝-61.0441             ｄ16＝3.1275    ｎd16＝1.48749    νd16＝70.23
ｒ17＝-15.8985             ｄ17＝1.6782    ｎd17＝1.83481    νd17＝42.72
ｒ18＝305.9730             ｄ18＝0.3071
ｒ19＝32.1687（非球面）    ｄ19＝9.4367    ｎd19＝1.58913    νd19＝61.14
ｒ20＝-23.3127（非球面）   ｄ20＝0.2016
ｒ21＝-43.2385             ｄ21＝1.3987    ｎd21＝1.80440    νd21＝39.59
ｒ22＝24.1298              ｄ22＝7.9524    ｎd22＝1.48749    νd22＝70.23
ｒ23＝-18.5139             ｄ23＝Ｄ２３
ｒ24＝∞                   ｄ24＝4.6500    ｎd24＝1.51633    νd24＝64.14
ｒ25＝∞                   ｄ25＝1.0000
ｒ26＝∞（像面）           ｄ26＝0
【００４９】
非球面データ
第４面
Ｋ＝-1.0594
Ａ4＝2.7803×10-5      Ａ6＝2.6653×10-8      Ａ8＝1.2883×10-10
Ａ10＝-4.5315×10-13
第１９面
Ｋ＝-3.9272
Ａ4＝1.9632×10-7      Ａ6＝-1.6423×10-9      Ａ8＝6.5837×10-10
Ａ10＝-4.6274×10-12
第２０面
Ｋ＝-1.4876
Ａ4＝2.3962×10-5      Ａ6＝3.2194×10-10      Ａ8＝-6.9462×10-11
Ａ10＝0.0000×100
【００５０】
ズームデータ
（無限遠物点合焦時）
面間隔        広角端          中間          望遠端
Ｄ８           4.90179       4.90179        4.90179
Ｄ１２        31.08093      12.31967        1.16140
Ｄ２３        31.17858      39.41545       48.78522
（物点距離０．４ｍ合焦時）
面間隔        広角端          中間          望遠端
Ｄ８           1.32166       1.45662        1.47855
Ｄ１２        34.27747      15.39571        4.21786
【実施例３】
【００５１】
図７は本発明の第３実施例にかかるズームレンズの光学構成を示す光軸に沿う断面図で、(a)は広角端、(b)は中間、(c)は望遠端での状態を示している。図８は第３実施例にかかるズームレンズの無限遠合焦点時での球面収差、非点収差、歪曲収差を示す図で、(a)は広角端、(b)は中間、(c)は望遠端での状態を示している。図９は第３実施例にかかるズームレンズの撮影距離０．４ｍ合焦点時での球面収差、非点収差、歪曲収差を示す図で、(a)は広角端、(b)は中間、(c)は望遠端での状態を示している。
【００５２】
第３実施例のズームレンズは、物体側より順に、第１レンズ群Ｇ１と、開口絞りＳと、第２レンズ群Ｇ２を有して構成されている。図中、ＣＧはローパスフィルタ、近赤外光線カットフィルタ、ＣＣＤカバーガラスを等価な平行平板状の光学素子に置き換えて表したものである。また、Ｉは結像面を示している。
【００５３】
第１レンズ群Ｇ１は、物体側より順に、像側に凹面を向けた負メニスカスレンズＬ１１と、像側に凹面を向けた負メニスカスレンズＬ１２と、両凹レンズＬ１３と、両凸レンズＬ１４と、物体側に凹面を向けた負メニスカスレンズＬ１５と、物体側に凸面を向けた正メニスカスレンズＬ１６とで構成され、全体で負の屈折力を有している。
【００５４】
第２レンズ群Ｇ２は、物体側より順に、両凸レンズＬ２１と、物体側に凹面を向けた正メニスカスレンズＬ２２と両凹レンズＬ２３との接合レンズと、両凸レンズＬ２４と、両凹レンズＬ２５と両凸レンズＬ２６との接合レンズとで構成され、全体で正の屈折力を有している。
【００５５】
広角端から望遠端へのズームミング時には、第１レンズ群Ｇ１が望遠端近傍で像側に凸の軌跡となるように像側へ移動し、第２レンズ群Ｇ２が開口絞りＳとともに物体側へ移動する。
また、広角端から望遠端までのいずれかの状態における無限遠から至近距離へのフォーカシングは、第１レンズ群Ｇ１の前群Ｇ１ａを像側へ移動させると共に、後群Ｇ１ｂを物体側に移動させて行なうようになっている。
なお、フォーカシングに関しては、第１レンズ群Ｇ１全体を一体的に移動させたり、後群Ｇ１ｂのみを移動させるなど、他の移動方法を用いても良い。
【００５６】
また、非球面は、像側に凹面を向けた負メニスカスレンズＬ１２の像側面と、両凸レンズＬ２４の両面に設けられている。
次に、第３実施例のズームレンズを構成する光学部材の数値データを示す。
【００５７】
数値データ３
広角端      中間      望遠端
ｆ          11.25      16.09      21.59
Ｆｎｏ．     2.8500     3.1512     3.5064
２ω        93.4°     72.4°     56.9°
ｒ1＝39.4656             ｄ1＝2.7000    ｎd1＝1.77250     νd1＝49.60
ｒ2＝19.1575             ｄ2＝3.8376
ｒ3＝23.4988             ｄ3＝2.9000    ｎd3＝1.80610     νd3＝40.92
ｒ4＝12.3518（非球面）   ｄ4＝8.7545
ｒ5＝-321.5338           ｄ5＝1.7500    ｎd5＝1.80440     νd5＝39.59
ｒ6＝38.1909             ｄ6＝5.6587
ｒ7＝51.8517             ｄ7＝4.2500    ｎd7＝1.74077     νd7＝27.79
ｒ8＝-62.4189            ｄ8＝Ｄ８
ｒ9＝-49.8100            ｄ9＝1.7000    ｎd9＝1.88300     νd9＝40.76
ｒ10＝-634.3371          ｄ10＝0.1000
ｒ11＝76.0148            ｄ11＝2.8000    ｎd11＝1.78472    νd11＝25.68
ｒ12＝279.3232           ｄ12＝Ｄ１２
ｒ13＝（絞り）           ｄ13＝1.0000
ｒ14＝26.6837            ｄ14＝3.5381    ｎd14＝1.53172    νd14＝48.84
ｒ15＝-58.7525           ｄ15＝6.6753
ｒ16＝-105.7861          ｄ16＝3.2705    ｎd16＝1.48749    νd16＝70.23
ｒ17＝-16.5092           ｄ17＝1.6600    ｎd17＝1.83481    νd17＝42.72
ｒ18＝483.0727           ｄ18＝0.5116
ｒ19＝31.5949（非球面）  ｄ19＝9.6340    ｎd19＝1.58913    νd19＝61.14
ｒ20＝-24.9249（非球面） ｄ20＝0.3176
ｒ21＝-43.5703           ｄ21＝1.3700    ｎd21＝1.80440    νd21＝39.59
ｒ22＝23.2096            ｄ22＝7.6628    ｎd22＝1.48749    νd22＝70.23
ｒ23＝-18.8170           ｄ23＝Ｄ２３
ｒ24＝∞                 ｄ24＝4.6500    ｎd24＝1.51633    νd24＝64.14
ｒ25＝∞                 ｄ25＝1.0000
ｒ26＝∞（像面）         ｄ26＝0
【００５８】
非球面データ
第２面
Ｋ＝-1.2568
Ａ4＝4.0845×10-5      Ａ6＝7.9534×10-9      Ａ8＝1.4928×10-10
Ａ10＝-6.6801×10-13
第１９面
Ｋ＝-2.9863
Ａ4＝6.2363×10-9      Ａ6＝3.8233×10-8      Ａ8＝2.5629×10-10
Ａ10＝-3.2996×10-12
第２０面
Ｋ＝-1.2082
Ａ4＝2.6128×10-5      Ａ6＝2.9162×10-8      Ａ8＝-2.7710×10-10
Ａ10＝0.0000×100
【００５９】
ズームデータ
（無限遠物点合焦時）
面間隔        広角端          中間          望遠端
Ｄ８           3.67042       3.67042        3.67042
Ｄ１２        30.02014      12.13323        1.54340
Ｄ２３        30.83039      39.33862       49.00113
（物点距離０．４ｍ合焦時）
面間隔        広角端          中間          望遠端
Ｄ８           1.05911       1.14556        1.15380
Ｄ１２        32.41585      14.44961        3.85223
【００６０】
次に、上記各実施例のズームレンズにおける条件式パラメータ値を表１に示す。
表１
2005062770.tif 000003
【００６１】
以上説明した本発明のズームレンズは、銀塩またはデジタル一眼レフレックスカメラに適用可能である。これらを以下に例示する。
【００６２】
図１０は、本発明のズームレンズを撮影レンズに用い、撮像素子として小型のＣＣＤまたはＣ−ＭＯＳ等を用いた一眼レフレックスカメラの断面図である。図１０において、１は一眼レフレックスカメラ、２は撮影レンズ、３は撮影レンズ２を一眼レフレックスカメラ１に着脱可能とするマウント部であり、スクリュータイプのマウントやバヨネットタイプのマウント等が用いられる。この例では、バヨネットタイプのマウントを用いている。また、４は撮像素子面、５は撮影レンズ２の光路６上のレンズ系と撮像素子面４との間に配置されたクイックリターンミラー、７はクイックリターンミラーより反射された光路に配置されたファインダースクリーン、８はペンタプリズム、９はファインダー、Ｅは観察者の眼（アイポイント）である。このような構成の一眼レフレックスカメラ１の撮影レンズ２として、例えば上記実施例１〜３に示した本発明のズームレンズが用いられる。
【図面の簡単な説明】
【００６３】
【図１】本発明の第１実施例にかかるズームレンズの光学構成を示す光軸に沿う断面図で、(a)は広角端、(b)は中間、(c)は望遠端での状態を示している。
【図２】第１実施例にかかるズームレンズの無限遠合焦点時での球面収差、非点収差、歪曲収差を示す図で、(a)は広角端、(b)は中間、(c)は望遠端での状態を示している。
【図３】第１実施例にかかるズームレンズの撮影距離０．４ｍ合焦点時での球面収差、非点収差、歪曲収差を示す図で、(a)は広角端、(b)は中間、(c)は望遠端での状態を示している。
【図４】本発明の第２実施例にかかるズームレンズの光学構成を示す光軸に沿う断面図で、(a)は広角端、(b)は中間、(c)は望遠端での状態を示している。
【図５】第２実施例にかかるズームレンズの無限遠合焦点時での球面収差、非点収差、歪曲収差を示す図で、(a)は広角端、(b)は中間、(c)は望遠端での状態を示している。
【図６】第２実施例にかかるズームレンズの撮影距離０．４ｍ合焦点時での球面収差、非点収差、歪曲収差を示す図で、(a)は広角端、(b)は中間、(c)は望遠端での状態を示している。
【図７】本発明の第３実施例にかかるズームレンズの光学構成を示す光軸に沿う断面図で、(a)は広角端、(b)は中間、(c)は望遠端での状態を示している。
【図８】第３実施例にかかるズームレンズの無限遠合焦点時での球面収差、非点収差、歪曲収差を示す図で、(a)は広角端、(b)は中間、(c)は望遠端での状態を示している。
【図９】第３実施例にかかるズームレンズの撮影距離０．４ｍ合焦点時での球面収差、非点収差、歪曲収差を示す図で、(a)は広角端、(b)は中間、(c)は望遠端での状態を示している。
【図１０】本発明のズームレンズを撮影レンズに用い、撮像素子として小型のＣＣＤまたはＣ−ＭＯＳ等を用いた一眼レフレックスカメラの断面図である。
【符号の説明】
【００６４】
Ｇ１            第１レンズ群
Ｇ１ａ          前群
Ｇ１ｂ          後群
Ｇ２            第２レンズ群
Ｌ１１，Ｌ１２  像側に凹面を向けた負メニスカスレンズ
Ｌ１３，Ｌ２３，Ｌ２５          両凹レンズ
Ｌ１４，Ｌ２１，Ｌ２４，Ｌ２６          両凸レンズ
Ｌ１５          物体側に凹面を向けた負メニスカスレンズ
Ｌ１６          物体側に凸面を向けた正メニスカスレンズ
Ｌ２２          物体側に凹面を向けた正メニスカスレンズ
Ｓ              開口絞り
ＣＧ            平行平板
Ｉ              像面
１              一眼レフレックスカメラ
２              撮影レンズ
３              マウント部
４              撮像素子面
５              クイックリターンミラー
６              光路
７              クイックリターンミラーより反射された光路に配置されたファインダースクリーン
８              ペンタプリズム
９              ファインダー
Ｅ              観察者の眼（アイポイント）
【図１】
2005062770.tif 000004
【図２】
2005062770.tif 000005
【図３】
2005062770.tif 000006
【図４】
2005062770.tif 000007
【図５】
2005062770.tif 000008
【図６】
2005062770.tif 000009
【図７】
2005062770.tif 000010
【図８】
2005062770.tif 000011
【図９】
2005062770.tif 000012
【図１０】
2005062770.tif 000013
【手続補正書】
【提出日】平成16年7月14日(2004.7.14)
【手続補正１】
【補正対象書類名】明細書
【補正対象項目名】００３９
【補正方法】変更
【補正の内容】
【００３９】
数値データ１
広角端      中間      望遠端
ｆ          11.21      16.10      21.57
Ｆｎｏ．     2.85       3.16       3.53
２ω        93.8°     72.2°     56.9°
ｒ1＝39.5894             ｄ1＝2.7500     ｎd1＝1.77250     νd1＝49.60
ｒ2＝19.2336             ｄ2＝4.1319
ｒ3＝23.4925             ｄ3＝2.900      ｎd3＝1.80610     νd3＝40.92
ｒ4＝12.5636（非球面）   ｄ4＝9.3097
ｒ5＝-298.3827           ｄ5＝1.8000     ｎd5＝1.80440     νd5＝39.59
ｒ6＝43.4758             ｄ6＝5.3592
ｒ7＝57.7472             ｄ7＝4.3200     ｎd7＝1.75520     νd7＝27.51
ｒ8＝-57.7472            ｄ8＝Ｄ８
ｒ9＝-43.5463            ｄ9＝1.7000     ｎd9＝1.88300     νd9＝40.76
ｒ10＝-625.1817          ｄ10＝0.1000
ｒ11＝70.6025            ｄ11＝2.8000    ｎd11＝1.78472    νd11＝25.68
ｒ12＝250.1754           ｄ12＝Ｄ１２
ｒ13＝（絞り）           ｄ13＝1.0000
ｒ14＝28.5691            ｄ14＝3.4441    ｎd14＝1.57099    νd14＝50.80
ｒ15＝-62.3093           ｄ15＝6.7403
ｒ16＝-108.7751          ｄ16＝3.1918    ｎd16＝1.48749    νd16＝70.23
ｒ17＝-16.8629           ｄ17＝1.6600    ｎd17＝1.83481    νd17＝42.72
ｒ18＝419.5895           ｄ18＝0.4519
ｒ19＝31.3057（非球面）  ｄ19＝9.2900    ｎd19＝1.58313    νd19＝59.38
ｒ20＝-25.4261（非球面） ｄ20＝0.2606
ｒ21＝-43.7765           ｄ21＝1.3700    ｎd21＝1.80440    νd21＝39.59
ｒ22＝24.0803            ｄ22＝7.2430    ｎd22＝1.48749    νd22＝70.23
ｒ23＝-18.7623           ｄ23＝Ｄ２３
ｒ24＝∞                 ｄ24＝4.6500    ｎd24＝1.51633    νd24＝64.14
ｒ25＝∞                 ｄ25＝1.0000
ｒ26＝∞（像面）         ｄ26＝0
【手続補正２】
【補正対象書類名】明細書
【補正対象項目名】００５８
【補正方法】変更
【補正の内容】
【００５８】
非球面データ
第４面
Ｋ＝-1.2568
Ａ4＝4.0845×10-5      Ａ6＝7.9534×10-9      Ａ8＝1.4928×10-10
Ａ10＝-6.6801×10-13
第１９面
Ｋ＝-2.9863
Ａ4＝6.2363×10-9      Ａ6＝3.8233×10-8      Ａ8＝2.5629×10-10
Ａ10＝-3.2996×10-12
第２０面
Ｋ＝-1.2082
Ａ4＝2.6128×10-5      Ａ6＝2.9162×10-8      Ａ8＝-2.7710×10-10
Ａ10＝0.0000×100